(57)【要約】【課題】作用中、ノズル１１内の次ショット分接着剤と容器２内の溶剤７が接触するのを抑えることができ、溶剤７でノズル端１２を洗浄することができ、異材混入の問題を発生することもないノズル乾燥防止装置１を提供する。【解決手段】ディスペンサー装置のノズル端１２が乾燥するのを抑制するノズル乾燥防止装置１であって、ノズル端１２を挿入する穴部４ａを設け、内部に溶剤７を充填した容器２と、穴部４ａの下方に配置され、穴部４ａから挿入するノズル端１２に押されて下降するノズル接触部材５と、ノズル接触部材５を弾性的に支持しかつ上方へ復帰動させる可動支持体６とを有する。穴部４ａから挿入するノズル端１２は、ノズル接触部材５に接触して先端開口１２ａを閉塞されてからノズル接触部材５を押圧して穴部４ａに深く差し込まれ溶剤７に浸漬され、この状態で保持される。【選択図】図１
2005279616.tif 000002
【特許請求の範囲】
【請求項１】
ディスペンサー装置におけるノズル端（１２）が乾燥するのを抑制するノズル乾燥防止装置（１）であって、
前記ノズル端（１２）を挿入する穴部（４ａ）を設けるとともに内部に溶剤（７）等の液体を充填した容器（２）と、前記穴部（４ａ）の下方に配置され、前記穴部（４ａ）から挿入するノズル端（１２）に押されて下降動作するノズル接触部材（５）と、前記ノズル接触部材（５）を弾性的に支持しかつ前記ノズル接触部材（５）を上方へ復帰動させる可動支持体（６）とを有し、
前記穴部（４ａ）から挿入するノズル端（１２）は、前記ノズル接触部材（５）に接触して先端開口（１２ａ）を閉塞されてから前記ノズル接触部材（５）を押圧して穴部（４ａ）に深く差し込まれることにより前記液体に浸漬され、この状態で保持されることを特徴とするノズル乾燥防止装置。
【請求項２】
請求項１のノズル乾燥防止装置において、
ノズル端（１２）が挿入されていないとき、ノズル接触部材（５）は可動支持体（６）に弾性付勢されて、容器（２）に設けた穴部（４ａ）を容器（２）の内側から閉塞することを特徴とするノズル乾燥防止装置。
【発明の詳細な説明】
【技術分野】
【０００１】
本発明は、ディスペンサー装置が待機中にあるときに同装置のノズル端が乾燥するのを抑制するために用いられるノズル乾燥防止装置に関するものである。本発明のノズル乾燥防止装置は例えば、揮発性溶剤系接着剤のディスペンサー装置を使用する分野において用いられる。
【背景技術】
【０００２】
ディスペンサー装置を用いて上記揮発性溶剤系接着剤を安定的に連続塗布するうえで、塗布動作終了後、設備が待機中の状態では、ディスペンサーノズルの先端が乾燥しないよう留意する必要があり、このため従来からノズル乾燥防止装置が使用されている。このノズル乾燥防止装置内には接着剤の揮発性溶剤と同等のものが充填され、この充填溶剤にノズル先端を浸漬することによりノズル端の乾燥を防止している。
【０００３】
しかしながら、従来の装置によると、ノズル内の次ショット分接着剤と充填溶剤とが互いに接する状態でノズル端が保持されることから、以下の問題を生じている。
（１）ノズル内の次ショット分接着剤に充填溶剤が混ざるために、接着剤の濃度が低下し、結果、塗布後の接着強度が低下する。
（２）連続塗布を繰り返す毎にノズル乾燥防止装置内の充填溶剤に接着剤が溶けてゆくために、充填溶剤の濃度が上昇し、結果、充填溶剤によるノズル洗浄ができなくなったり、ノズル端に接着剤の固形分が析出したりする。ノズル乾燥防止装置は適度にノズル外筒部の清浄度を保てることが望ましい。
（３）充填溶剤はその揮発特性から徐々に装置内充填量が減ってゆく。したがってその分、周囲の作業環境に影響を及ぼすので、揮発対策が必要とされることがある。
【０００４】
また、本発明に対する他の従来技術として、接着剤の射出ノズルの乾燥を防止して射出ノズルの使用再開を迅速に行なうことを目的とし、この目的を達成するため、接着剤射出ノズルの先端に接触自在のスポンジ体と、このスポンジ体を濡らすための給水装置とからなる乾燥防止装置が提案されている（特許文献１参照）。
【０００５】
しかしながら、この従来技術によると、初期作動は良好であるものの、作動を繰り返すうちにノズル端がスポンジ体を破って効果が薄れるとともに、スポンジ体の破断片が接着剤とともに製品部へ運ばれて異材混入（コンタミ）の異常事態を発生することがある。
【０００６】
【特許文献１】特開平５−２３６２９号公報
【発明の開示】
【発明が解決しようとする課題】
【０００７】
本発明は以上の点に鑑みて、ノズル内の次ショット分接着剤と容器内の充填溶剤等の液体とが接触するのを抑えることができ、液体でノズル端を洗浄することができ、しかも異材混入の問題を発生することもないノズル乾燥防止装置を提供することを目的とする。またこれに加えて、容器内の液体が揮発するのを有効に抑えることができるノズル乾燥防止装置を提供することを目的とする。
【課題を解決するための手段】
【０００８】
上記目的を達成するため、本発明の請求項１によるノズル乾燥防止装置は、ディスペンサー装置におけるノズル端が乾燥するのを抑制するノズル乾燥防止装置であって、前記ノズル端を挿入する穴部を設けるとともに内部に溶剤等の液体を充填した容器と、前記穴部の下方に配置され、前記穴部から挿入するノズル端に押されて下降動作するノズル接触部材と、前記ノズル接触部材を弾性的に支持しかつ前記ノズル接触部材を上方へ復帰動させる可動支持体とを有し、前記穴部から挿入するノズル端は、前記ノズル接触部材に接触して先端開口を閉塞されてから前記ノズル接触部材を押圧して穴部に深く差し込まれることにより前記液体に浸漬され、この状態で保持されることを特徴とするものである。
【０００９】
また、本発明の請求項２によるノズル乾燥防止装置は、上記した請求項１のノズル乾燥防止装置において、ノズル端が挿入されていないとき、ノズル接触部材は可動支持体に弾性付勢されて、容器に設けた穴部を容器の内側から閉塞することを特徴とするものである。
【００１０】
上記構成を備えた本発明の請求項１によるノズル乾燥防止装置のように、容器の穴部から挿入されるノズル端がノズル接触部材に接触して先端開口を閉塞されてから容器内の液体中に浸漬されると、ノズル端が液体中に浸漬されるときには既にノズル端の先端開口は閉塞されていることから、ノズル内の次ショット分接着剤と容器内の液体とが接触するのを抑えることが可能となる。ノズル端は液体中に浸漬されることから、液体でノズル端を洗浄することが可能であり、スポンジ体を使用しないことから、異材混入の問題を発生することもない。
【００１１】
また、ノズル端は細径であるから、これを挿入する容器の穴部は開口断面積の小さなもので良い。したがって容器を略密閉容器とすることができ、これに伴って液体の揮発を少なく抑えることが可能となる。また請求項２のように、ノズル端が挿入されていないときにノズル接触部材が可動支持体に弾性付勢されて、容器に設けた穴部を容器の内側から閉塞するようにすると、液体の揮発を一層少なく抑えることが可能となる。
【発明の効果】
【００１２】
本発明は、以下の効果を奏する。
【００１３】
すなわち、本発明の請求項１によるノズル乾燥防止装置においては、容器の穴部から挿入するノズル端がノズル接触部材に接触して先端開口を閉塞されてから容器内の液体に浸漬されることから、ノズル端が液体に浸漬されるときには既にノズル端の先端開口は閉塞されており、よってノズル内の次ショット分接着剤と容器内の液体とが接触するのを抑えることが可能とされている。したがって、ノズル内の次ショット分接着剤に液体が混ざることにより接着剤の濃度が低下したり、容器内の液体に接着剤が溶けることにより液体の濃度が上昇したりするのを未然に防止することができる。また、ノズル端が液体に浸漬されることから液体でノズル端を洗浄することができ、スポンジ体を使用しないことから異材混入の問題が発生することがない。穴部の開口断面積が小さい場合には、液体揮発抑制効果もある。
【００１４】
またこれに加えて、本発明の請求項２によるノズル乾燥防止装置においては、ノズル端が挿入されていないときにノズル接触部材は可動支持体に弾性付勢されて容器に設けた穴部を容器の内側から閉塞することから、このとき容器は密閉状態となる。したがって、更なる液体揮発抑制効果を発揮することができる。
【発明を実施するための最良の形態】
【００１５】
尚、本件出願には、以下の実施形態が含まれる。
【００１６】
構成・・・
１．塗布動作終了後、塗布装置はディスペンサーノズルをノズル乾燥防止装置へ移動させる。
２．塗布動作開始時は、ノズル乾燥防止装置から移動後、塗布作業を開始する。
３．ノズル乾燥防止装置は、以下の構成要件を具備する。
ａ．接着剤に使用されている溶剤と同等のものを蓋付き容器に入れる。例えば接着剤が、酸変性ポリオレフィン＋ポリオレフィン（何れも樹脂粉末）にキシレンを用いたものである場合には、キシレンを溶剤として容器に充填する。
ｂ．蓋にはノズルが通過できる程度の穴を設ける。
ｃ．金属ノズルが接触しても削れたり、溶剤で強度変化したりしない材料にてノズル接触部材を製作する。材質としては、耐摩耗性・対薬品性に優れるポリアセタール（ＰＯＭ）が特に好ましく、他にフッ素樹脂やポリテトラフルオロエチレン（ＰＴＦＥ）等も好適である。
ｄ．ノズル接触部材が常にノズルに接触できるように設計された可動支持体をノズル接触部材とともに溶剤に浸漬する状態で容器内に入れる。
ｅ．溶剤の液面とノズル接触部材上面との位置関係は特に重要で、以下を満足させる。
イ、ノズルが移動降下していないときには、液面よりもノズル接触部材上面が上となる。
ロ、ノズルが移動降下しているときには、反対に液面がノズル接触部材上面よりも上となる。
ｆ．ノズルがノズル接触部材を押し下げ、ノズル先端は完全に溶剤中に浸漬する。
ｇ．ノズル先端は密閉され、かつノズル先端外筒部は溶剤で洗浄される。
ｈ．溶剤の揮発については、蓋付き容器のノズル通過穴の大きさでかなりの効果を期待できるが、更にノズル通過穴に開閉機構を設けるようにしても良い。また、ノズル接触部材の上面に突起部を設けて、この突起部がノズル通過穴に面接触または線接触することにより溶剤の揮発を抑止するようにしても良い。
作用効果・・・
上記構成によれば、塗布部に異材混入（コンタミ）を生じず、常にノズル先端を清浄に保ちつつ、ノズル先端で接着剤が固化するのを抑制することにより、安定した塗布量で所望の塗布形状・パターンを得ることができる。そして、前述した従来技術における問題点をすべて解消することができる。
【実施例】
【００１７】
つぎに本発明の実施例を図面にしたがって説明する。
【００１８】
図１は、本発明の実施例に係るノズル乾燥防止装置１の断面を示している。当該実施例に係るノズル乾燥防止装置１は、揮発性溶剤系接着剤を塗布剤とする接着剤ディスペンサー装置と組み合わせて用いられるものであって、以下のように構成されている。
【００１９】
すなわち先ず、有底筒状の容器本体３に蓋体４が組み合わされて容器２が形成されており、この容器２の内部に、ノズル接触部材としてのピストン５および可動支持体としてのコイルバネ６が挿入されるとともに溶剤７が充填されている。
【００２０】
ピストン５は、容器２内で上下方向に移動可能とされ、コイルバネ６により上方へ向けて弾性付勢されており、その初動位置は、図示するように蓋体４に当接して移動が停止せしめられたストロークの上限位置とされている。
【００２１】
蓋体４の平面中央に、ディスペンサーノズル１１のノズル端１２を上方から差し込むための貫通孔状の穴部４ａが設けられている。この穴部４ａの大きさはノズル端１２が小径であることから小さなもので良い。
【００２２】
ピストン５は、円板状の本体部５ａを有しており、この円板状本体部５ａの下面中央に、コイルバネ６の内周に差し込まれて当該ピストン５の姿勢を保持する軸部５ｂが設けられている。また、円板状本体部５ａの上面中央には、蓋体４の穴部４ａにその下方から差し込まれる突起部５ｃが設けられており、図示するようにこの突起部５ｃが穴部４ａに差し込まれると、この突起部５ｃにより穴部４ａは閉塞されるように構成されている。
【００２３】
図３に拡大して示すように、突起部５ｃは、穴部４ｃに差し込まれ易いようにテーパー状の周面５ｄを有している。また、この突起部５ｃには上方からノズル端１２が押し当てられるので、このとき押し当てられたノズル端１２の先端開口１２ａを突起部５ｃが閉塞することができるよう突起部５ｃは平面状の頂面５ｅを有している。したがって突起部５ｃは総じて裁頭円錐形に形成されている。また、ピストン５が蓋体４に当接して上記ストロークの上限位置にあるとき、上記したように突起部５ｃは穴部４ａを閉塞するが、このとき突起部５ｃの頂面５ｅは穴部４ａよりも上方へ突出するように突起部５ｃの高さ寸法ｈが設定されている。
【００２４】
ノズル１１内の塗布剤の種類が、酸変性ポリオレフィン＋ポリオレフィン（何れも樹脂粉末）にキシレンを用いたものである場合、容器２内には、同種のキシレンを充填溶剤７として注入充填する。注入量は、容器２の全容量とする。
【００２５】
ピストン５の材質としては、金属製のノズル１１が繰り返し接触しても削れることがなく、また溶剤７に接触しても強度変化を生じない材質であることが好ましく、このような観点から、ポリアセタール（ＰＯＭ）、フッ素樹脂またはポリテトラフルオロエチレン（ＰＴＦＥ）等が相応しい。
【００２６】
つぎに、上記構成のノズル乾燥防止装置１の作用を説明する。
【００２７】
図１は、当該ノズル乾燥防止装置１にノズル端１２を差し込む以前の状態を示しており、この状態では、ピストン５の上面に設けた突起部５ｃが蓋体４に設けた穴部４ａを閉塞している。したがって、容器２は密閉された状態にあり、溶剤７の揮発が抑えられている。
【００２８】
次いで、図２に示すように、ノズル端１２を蓋体４の穴部４ａに差し込むべくノズル１１を下降させると、ノズル端１２が穴部４ａから突出したピストン５の突起部５ｃに当接し、そのまま突起部５ｃを押圧してピストン５をコイルバネ６の弾性に抗して押し下げ、この状態で待機中保持される。
【００２９】
この作用中、ノズル端１２は、突起部５ｃに当接した時点で、先端開口１２ａを突起部５ｃの平面状頂面５ｅによって閉塞されるため、これ以降ノズル端１２がピストン５を押し下げて溶剤７に浸漬されても、ノズル１１内の次ショット分接着剤と容器２内の溶剤７は直接接触しない。したがって、ノズル１１内の次ショット分接着剤に溶剤７が混ざって接着剤の濃度が低下したり、あるいは容器２内の溶剤７に接着剤が溶け込んで溶剤７の濃度が上昇したりすると云った不都合が発生するのを未然に防止することができる。
【００３０】
また、図３に示したように、待機中、ノズル端１２は溶剤７に浸漬される。したがって、溶剤７によりノズル端１２を洗浄することができる。
【００３１】
また、当該装置１はその構成要素として従来のようにスポンジ体を有さないものである。したがって、スポンジの破断片により異材混入の問題が発生するのを未然に防止することができる。
【００３２】
また、穴部４ａは、その開口断面積が小さく、更にノズル端１２が差し込まれていないときにはピストン５の突起部５ｃによって容器２の内側から閉塞されるものである。したがって、容器２内の溶剤７が揮発するのを有効に抑えることができる。
【００３３】
尚、当該装置１からノズル端１２を引き抜くと、ピストン５はコイルバネ６の弾性により上方へ向けて復帰動し、図１の状態に戻る。
【図面の簡単な説明】
【００３４】
【図１】本発明の実施例に係るノズル乾燥防止装置の断面図
【図２】同ノズル乾燥防止装置の作動状態を示す断面図
【図３】同要部拡大断面図
【符号の説明】
【００３５】
１  ノズル乾燥防止装置
２  容器
３  容器本体
４  蓋体
４ａ  穴部
５  ピストン（ノズル接触部材）
５ａ  本体部
５ｂ  軸部
５ｃ  突起部
５ｄ  周面
５ｅ  頂面
６  コイルバネ（可動支持体）
７  溶剤
１１  ディスペンサーノズル
１２  ノズル端
１２ａ  先端開口
【図１】
2005279616.tif 000003
【図２】
2005279616.tif 000004
【図３】
2005279616.tif 000005
【手続補正書】
【提出日】平成16年4月8日(2004.4.8)
【手続補正１】
【補正対象書類名】図面
【補正対象項目名】全図
【補正方法】変更
【補正の内容】
【図１】
2005279616.tif 000006
【図２】
2005279616.tif 000007
【図３】
2005279616.tif 000008